(57)【要約】      （修正有）【課題】現像ユニット側から浮遊してくる現像剤の光射出面への付着を十分に抑制して、画像品質の低下を抑制する画像形成装置を提供する。【解決手段】カラーレーザプリンタは、表面に静電潜像が形成される感光ドラム５３と、ＬＥＤ４２０を有し、感光ドラム５３上の対向位置Ｔに対向した露光位置で感光ドラム５３を露光するとともに、露光位置と退避位置との間で変位可能なＬＥＤユニット４０とを備え、ＬＥＤユニット４０は、ＬＥＤユニット４０の光射出面４０Ａよりも突出して設けられた防塵壁１１０と、露光位置で感光ドラム５３に対してＬＥＤユニット４０を位置決めする位置決め部１２０とを有し、防塵壁１１０と位置決め部１２０は一体成形されている。【選択図】図４
0003163918.tif 000002
【実用新案登録請求の範囲】
【請求項１】
表面に静電潜像が形成される感光体と、
発光素子を有し、前記感光体上の対向位置に対向した露光位置で前記感光体を露光して前記静電潜像を形成するとともに、前記露光位置と前記露光位置から退避した退避位置との間で変位可能な露光部材とを備え、
前記露光部材は、
前記露光部材の光射出面よりも突出して設けられた防塵壁と、
前記露光位置で、前記感光体に対して前記露光部材を位置決めする位置決め部材とを有し、
前記防塵壁と前記位置決め部材は一体成形されたことを特徴とする画像形成装置。
【請求項２】
前記防塵壁と前記位置決め部材は、前記露光部材の光射出面側に備えられたことを特徴とする請求項１に記載の画像形成装置。
【請求項３】
前記感光体を支持するとともに、前記露光位置で前記防塵壁が貫入する貫通孔が形成されたフレームを備え、
前記防塵壁は、前記露光位置で、前記感光体上の対向位置における前記感光体の移動方向において互いに対向する前記貫通孔の内壁の一方に当接する突起部を有することを特徴とする請求項１または請求項２に記載の画像形成装置。
【請求項４】
前記防塵壁は、絶縁性の材料からなることを特徴とする請求項１から請求項３のいずれか１項に記載の画像形成装置。
【請求項５】
前記防塵壁は、前記感光体上の対向位置における前記感光体の移動方向と前記光射出面からの光の射出方向とに略直交する方向の中心位置を基準にして左右対称に設けられることを特徴とする請求項１から請求項４のいずれか１項に記載の画像形成装置。
【請求項６】
前記防塵壁は、前記感光体上の前記静電潜像が形成される領域に対応した範囲に設けられることを特徴とする請求項１から請求項５のいずれか１項に記載の画像形成装置。
【請求項７】
前記防塵壁は、前記露光位置において、前記感光体上の対向位置よりも前記感光体上の対向位置における前記感光体の移動方向の下流側に設けられることを特徴とする請求項１から請求項６のいずれか１項に記載の画像形成装置。
【請求項８】
前記防塵壁は、前記感光体上の対向位置における前記感光体の移動方向と前記光射出面からの光の射出方向とに略直交する方向に沿って設けられたことを特徴とする請求項１から請求項７のいずれか１項に記載の画像形成装置。
【考案の詳細な説明】
【技術分野】
【０００１】
本考案は、感光体と露光部材の光射出面とを近接配置した画像形成装置に関する。
【背景技術】
【０００２】
従来、感光体と露光部材（例えば、ＬＥＤヘッドなど）の光射出面とを近接配置して感光体を露光する方式の画像形成装置が知られている。このような画像形成装置では、感光体と露光部材の光射出面とが近接配置されているため、感光体に現像剤を供給する現像ユニット側から浮遊してきた現像剤が光射出面に付着して汚れるので画像品質が低下するという問題があった。そこで、例えば、特許文献１や特許文献２では、露光部材の先端（光射出面）付近に、感光体側へ向けて突出する防塵壁や遮蔽部などを設け、現像ユニット側から浮遊してきた現像剤の光射出面への付着を抑制する構成が開示されている。
【特許文献１】実開平２−４０５４１号公報
【特許文献２】特開２００４−４５７９５号公報
【考案の概要】
【考案が解決しようとする課題】
【０００３】
ところで、前記したような従来装置は、感光体に対する防塵壁の位置が、露光部材全体の位置決め機構によって間接的に決まる構成なので、感光体に対する防塵壁自体の位置決め精度が十分ではなかった。そのため、防塵壁を感光体に十分に近接させることができず、現像ユニット側から浮遊してきた現像剤の光射出面への付着を十分に抑制することができなかった。
【０００４】
また、従来装置の露光部材の位置決め機構で防塵壁を感光体に十分に近接させるために、例えば、防塵壁の寸法を長くすると、感光体に対する防塵壁自体の位置決め精度が十分ではないので、防塵壁の先端が感光体に接触してその表面を損傷するおそれがあった。
【０００５】
そこで、本発明は、現像ユニット側から浮遊してくる現像剤の光射出面への付着を十分に抑制して、画像品質の低下を抑制する画像形成装置を提供することを目的とする。
【課題を解決するための手段】
【０００６】
前記した目的を達成するため、本発明の画像形成装置は、表面に静電潜像が形成される感光体と、発光素子を有し、前記感光体上の対向位置に対向した露光位置で前記感光体を露光して前記静電潜像を形成するとともに、前記露光位置と前記露光位置から退避した退避位置との間で変位可能な露光部材とを備え、前記露光部材は、前記露光部材の光射出面よりも突出して設けられた防塵壁と、前記露光位置で、前記感光体に対して前記露光部材を位置決めする位置決め部材とを有し、前記防塵壁と前記位置決め部材は一体成形されたことを特徴とする。
【０００７】
このように構成された画像形成装置によれば、露光部材の防塵壁と一体成形された位置決め部材が感光体に対して露光部材を位置決めするので、防塵壁を感光体に対して精度よく位置決めすることができる。これにより、防塵壁を感光体に十分に近接させることが可能となる。
【考案の効果】
【０００８】
本発明の画像形成装置によれば、防塵壁を感光体に対して精度よく位置決めすることができるので、防塵壁を感光体に十分に近接させることができる。これによって、現像ユニット側から浮遊してくる現像剤の光射出面への付着を十分に抑制することができるので、
画像品質の低下を抑制することができる。
【図面の簡単な説明】
【０００９】
【図１】画像形成装置の一例としてのカラーレーザプリンタの全体構成を示す断面図である。
【図２】ＬＥＤユニットが退避位置にある状態のカラーレーザプリンタを示す断面図である。
【図３】ＬＥＤユニット、ドラムフレームおよび感光ドラムを示す斜視図である。
【図４】露光位置におけるＬＥＤユニット、ドラムフレームおよび感光ドラムの関係を示す側面図（ａ）と断面図（ｂ）である。
【図５】（ａ）他の実施形態に係るＬＥＤユニットとドラムフレームを側面から見た一部断面図であり、（ｂ）は奥側から見た一部断面図であり、（ｃ）はＬＥＤユニットと感光ドラムを上面から見た図である。
【考案を実施するための形態】
【００１０】
次に、本発明の実施形態について、適宜図面を参照しながら詳細に説明する。参照する図面において、図１は画像形成装置の一例としてのカラーレーザプリンタの全体構成を示す断面図であり、図２はＬＥＤユニットが退避位置にある状態のカラーレーザプリンタを示す断面図である。
【００１１】
ここで、以下の説明において方向は、カラーレーザプリンタ使用時のユーザを基準にした方向で説明する。すなわち、図１において、紙面に向かって左側を「手前側」、紙面に向かって右側を「奥側」とし、紙面に向かって奥側を「左側」、紙面に向かって手前側を「右側」とする。また、紙面に向かって上下方向を「上下方向」とする。
【００１２】
図１に示すように、カラーレーザプリンタ１は、本体筐体１０内に、用紙Ｐを供給する給紙部２０と、給紙された用紙Ｐに画像を形成する画像形成部３０と、画像が形成された用紙Ｐを排出する排紙部９０とを備えている。
【００１３】
本体筐体１０の手前側には開閉自在なフロントカバー１１が下方を支点として前後（手前・奥側）に回動自在に設けられ、本体筐体１０の上部には開閉自在なアッパーカバー１２が奥側に設けられたヒンジ部を支点として上下に回動自在に設けられている（図２参照）。アッパーカバー１２の上面は本体筐体１０から排出された用紙Ｐを蓄積する排紙トレイ１３となっており、下面には後述する各ＬＥＤユニット４０を保持する複数の保持部材１４が設けられている。
【００１４】
また、本体筐体１０内には、後述する各プロセスユニット５０を着脱自在に収容するフレーム１５が設けられている。このフレーム１５は、図２に示すように、アッパーカバー１２を開いて各ＬＥＤユニット４０を上方へ退避させた後、フロントカバー１１を開いたときにできる開口から手前側（矢印方向）に引き出し可能に構成されている。これにより、フレーム１５を引き出した状態で各プロセスユニット５０を交換することができる。
【００１５】
給紙部２０は、図１に示すように、本体筐体１０内の下部に設けられ、本体筐体１０に着脱自在に装着される給紙トレイ２１と、給紙トレイ２１から用紙Ｐを画像形成部３０へ搬送する用紙供給機構２２を主に備えている。用紙供給機構２２は、給紙トレイ２１の手前側に設けられ、給紙ローラ２３、分離ローラ２４および分離パッド２５を主に備えている。
【００１６】
このように構成される給紙部２０では、給紙トレイ２１内の用紙Ｐが、一枚ずつ分離されて上方へ送られ、紙粉取りローラ２６とピンチローラ２７の間を通過する過程で紙粉が
除去された後、搬送経路２８を通って奥側へ方向転換され、画像形成部３０（搬送ベルト７３上）に供給される。
【００１７】
画像形成部３０は、露光部材の一例としての４つのＬＥＤユニット４０と、４つのプロセスユニット５０（ドラムユニット５１および現像ユニット６１）と、転写ユニット７０と、定着ユニット８０とから主に構成されている。
【００１８】
各ＬＥＤユニット４０は、先端部分（光射出面４０Ａ。図４参照）が各感光ドラム５３に上方から対向して配置される露光位置（図１参照）において、上端が本体筐体１０のアッパーカバー１２に保持部材１４を介して固定され、下端に後述する防塵・位置決め部材１００を備えている。また、各ＬＥＤユニット４０は、露光位置において、手前側からプロセスユニット５０（詳細には現像ユニット６１）、ＬＥＤユニット４０の順に交互に配置されている。さらに、各ＬＥＤユニット４０は、図２に示すように、アッパーカバー１２を開くことで露光位置から退避位置へと移動することができる。ＬＥＤユニット４０の詳細については後述する。
【００１９】
プロセスユニット５０は、アッパーカバー１２と給紙部２０との間で前後方向（手前・奥側の方向）に並んで配置され、ドラムユニット５１と、ドラムユニット５１に対して着脱自在に装着される現像ユニット６１とを備えている。なお、各プロセスユニット５０は、現像ユニット６１のトナー収容室６６に収容されるトナー（現像剤）の色が相違するのみであり、構成については同一である。
【００２０】
ドラムユニット５１は、フレームの一例としてのドラムフレーム５２と、ドラムフレーム５２に回転可能に支持される感光体の一例としての感光ドラム５３と、スコロトロン型帯電器５４とを主に備えている。
【００２１】
ドラムフレーム５２は、感光ドラム５３に対して上方から対向する面に、ＬＥＤユニット４０が発するＬＥＤ光を感光ドラム５３に照射するための露光孔５２１と、露光位置において後述する防塵壁１１０が貫入する複数の貫通孔５２２がそれぞれ設けられている（図３参照）。
【００２２】
現像ユニット６１は、現像フレーム６２と、現像フレーム６２に回転可能に支持される現像ローラ６３および供給ローラ６４と、層厚規制ブレード６５とを備え、トナーを収容するトナー収容室６６を有している。
【００２３】
転写ユニット７０は、給紙部２０と各プロセスユニット５０との間に設けられ、駆動ローラ７１、従動ローラ７２、搬送ベルト７３、転写ローラ７４およびクリーニング部７５を主に備えている。
【００２４】
駆動ローラ７１および従動ローラ７２は、前後方向に離間して平行に配置され、その間にエンドレスベルトからなる搬送ベルト７３が張設されている。搬送ベルト７３は、その外側の面が各感光ドラム５３に接している。また、搬送ベルト７３の内側には、各感光ドラム５３との間で搬送ベルト７３を挟持する転写ローラ７４が、各感光ドラム５３に対向して４つ配置されている。この転写ローラ７４には、転写時に定電流制御によって転写バイアスが印加される。
【００２５】
クリーニング部７５は、搬送ベルト７３の下方に配置され、搬送ベルト７３に付着したトナーを除去し、その下方に配置されたトナー貯留部７６に除去したトナーを落下させるように構成されている。
【００２６】
定着ユニット８０は、各プロセスユニット５０および転写ユニット７０の奥側に配置され、加熱ローラ８１と、加熱ローラ８１と対向配置され加熱ローラ８１を押圧する加圧ローラ８２とを備えている。
【００２７】
このように構成される画像形成部３０では、まず、各感光ドラム５３の表面が、スコロトロン型帯電器５４により一様に帯電された後、各ＬＥＤユニット４０から照射されるＬＥＤ光により露光される。これにより、露光された部分の電位が下がって、各感光ドラム５３上に画像データに基づく静電潜像が形成される。
【００２８】
また、トナー収容室６６内のトナーが、供給ローラ６４の回転により現像ローラ６３に供給され、現像ローラ６３の回転により現像ローラ６３と層厚規制ブレード６５との間に進入して一定厚さの薄層として現像ローラ６３上に担持される。
【００２９】
現像ローラ６３上に担持されたトナーは、現像ローラ６３が感光ドラム５３に対向して接触するときに、感光ドラム５３上に形成された静電潜像に供給される。これにより、感光ドラム５３上でトナーが選択的に担持されて静電潜像が可視像化され、反転現像によりトナー像が形成される。
【００３０】
次に、搬送ベルト７３上に供給された用紙Ｐが各感光ドラム５３と搬送ベルト７３の内側に配置される各転写ローラ７４との間を通過することで、各感光ドラム５３上に形成されたトナー像が用紙Ｐ上に転写される。
【００３１】
そして、用紙Ｐが加熱ローラ８１と加圧ローラ８２との間を通過することで、用紙Ｐ上に転写されたトナー像が熱定着される。
【００３２】
排紙部９０は、定着ユニット８０の出口から上方に向かって延び、手前側に反転するように形成された排紙側搬送経路９１と、用紙Ｐを搬送する複数対の搬送ローラ９２を主に備えている。トナー像が転写され、熱定着された用紙Ｐ（画像が形成された用紙Ｐ）は、搬送ローラ９２によって排紙側搬送経路９１を搬送され、本体筐体１０の外部に排出されて排紙トレイ１３に蓄積される。
【００３３】
次に、本発明の特徴部分について詳細に説明する。参照する図面において、図３はＬＥＤユニット、ドラムフレームおよび感光ドラムを示す斜視図であり、図４は露光位置におけるＬＥＤユニット、ドラムフレームおよび感光ドラムの関係を示す側面図（ａ）と断面図（ｂ）である。
【００３４】
図３に示すように、本発明の特徴部分は、ＬＥＤユニット４０の防塵・位置決め部材１００と、ドラムフレーム５２に設けられた露光孔５２１および貫通孔５２２から主に構成される。まず、ＬＥＤユニット４０の詳細構造について説明する。
【００３５】
ＬＥＤユニット４０は、ＬＥＤ光を発するＬＥＤヘッド４１と、ＬＥＤヘッド４１を揺動可能に支持するアーム部材４２と、防塵・位置決め部材１００とを主に備えている。
【００３６】
ＬＥＤヘッド４１は、図４（ｂ）に示すように、ＬＥＤヘッド本体４１０内に、左右方向に配列されるとともに、感光ドラム５３に対向配置された複数の発光素子の一例としてのＬＥＤ（Ｌｉｇｈｔ  Ｅｍｉｔｔｉｎｇ  Ｄｉｏｄｅ）４２０と、レンズ４３０とを備えている。
【００３７】
レンズ４３０の露光位置における下端面には光射出面４０Ａが形成されている。ＬＥＤ４２０が発したＬＥＤ光は、レンズ４３０を通って光射出面４０Ａから射出され、ドラム
フレーム５２の露光孔５２１を通って感光ドラム５３上に照射される。
【００３８】
ＬＥＤヘッド本体４１０には、図３に示すように、感光ドラム５３の対向位置Ｔ（図４（ｂ）参照）における感光ドラム５３周面の移動方向（感光ドラム５３の回転方向Ｍ）と光射出面４０ＡからのＬＥＤ光の射出方向Ｌ（ＬＥＤ光の光軸方向）とに略直交する方向（本実施形態においては、感光ドラム５３の回転軸方向である）の両端側に係止部４１１（一方は図示せず）が設けられている。また、ＬＥＤヘッド本体４１０の上部には円柱状のアーム取付部４１２が設けられ、下部には嵌合部４１３が設けられている。
【００３９】
アーム部材４２は、上端が保持部材１４を介して本体筐体１０のアッパーカバー１２に固定されるとともに、下端にＬＥＤヘッド４１が取り付けられている。より詳細には、アーム部材４２の下端に設けられたヘッド取付部４２１が、ＬＥＤヘッド４１のアーム取付部４１２と係合することで、ＬＥＤヘッド４１のアーム取付部４１２を軸に回動可能に保持している（図４（ｂ）参照）。このようにＬＥＤヘッド４１がアーム部材４２に対して回動可能に支持されることにより、ＬＥＤヘッド４１の先端（下端）は露光位置において前後方向に揺動可能となる。
【００４０】
なお、アーム取付部４１２とヘッド取付部４２１の凹部の底面との間には、バネ４３が設けられている。これにより、ＬＥＤヘッド４１は、アーム部材４２に対して上下に揺動可能となっている。本実施形態においては、バネ４３は圧縮コイルバネを採用している。
【００４１】
防塵・位置決め部材１００は、図３に示すように、矩形状の孔部１０３を有する枠状の部材本体１０１と、部材本体１０１の左右方向の両端にそれぞれ設けられた係止爪１０２と、複数の防塵壁１１０と、位置決め部材の一例としての位置決め部１２０とを備え、これらが一体成形によって形成されている。
【００４２】
防塵壁１１０は、部材本体１０１の手前側において、ＬＥＤユニット４０の感光ドラム５３の回転軸方向（左右方向）に沿って３つ設けられている。この防塵壁１１０は、感光ドラム５３の回転軸方向の中心位置Ｃを基準にして左右対称に、かつ、感光ドラム５３の回転軸方向における感光ドラム５３上の静電潜像形成領域Ｒの範囲内に設けられている。また、３つの防塵壁１１０の内、感光ドラム５３の回転軸方向の両側に配置される２つの防塵壁１１０の奥側壁面の中央付近には、露光位置においてドラムフレーム５２の貫通孔５２２の奥側内壁に当接する突起部１１１が設けられている。
【００４３】
このような防塵壁１１０は、絶縁性の材料から形成されることが望ましく、具体例としては、ポリスチレン、ポリカーボネートなどが挙げられる。これによれば、露光位置で近接する感光ドラム５３と防塵壁１１０の先端との間における放電を防止することができる。
【００４４】
位置決め部１２０は、部材本体１０１下面の左右方向の両端付近（一方は図示せず）にそれぞれ設けられた突起状の部分である。なお、本実施形態では、位置決め部１２０は、部材本体１０１下面の左右方向の両端付近にそれぞれ一つずつ設けられているが、複数ずつ設けてもよい。
【００４５】
このように構成された防塵・位置決め部材１００は、本実施形態ではＬＥＤヘッド４１の光射出面４０Ａ側に備えられている。防塵・位置決め部材１００とＬＥＤヘッド４１の取り付けについて詳細に説明する。まず、防塵・位置決め部材１００の孔部１０３にＬＥＤヘッド４１の嵌合部４１３が挿入される。このとき、係止爪１０２がＬＥＤヘッド４１の係止部４１１によって前後方向（手前・奥側の方向）に広げられ、嵌合部４１３が孔部１０３に完全に挿入された段階で、係止爪１０２の形状が元に戻ることによって係止爪１
０２が係止部４１１を係止する。これにより、図４（ａ）に示すように、防塵・位置決め部材１００がＬＥＤヘッド４１の光射出面４０Ａ側に固定された状態で取り付けられる。
【００４６】
図４に示すように、露光孔５２１および貫通孔５２２は、ドラムフレーム５２の感光ドラム５３に対して上方から対向する面に、上下方向に貫通して設けられている。貫通孔５２２の手前側内壁には、ＬＥＤユニット４０が露光位置と退避位置との間で変位する際に、防塵壁１１０の先端が描く軌跡を避けるように、下方から上方に向かって広がるテーパ面５２２Ａが設けられている。
【００４７】
なお、図４に示すように、ドラムフレーム５２の感光ドラム５３に対して上方から対向する面の下面には、付勢部材５２３が取り付けられている。付勢部材５２３は、可撓性を有する板状の部材であり、テーパ面５２２Ａの下端から奥側へ突出するように構成されている。付勢部材５２３のテーパ面５２２Ａの下端から奥側へ突出した部位は、防塵壁１１０が貫通孔５２２に貫入するときに、防塵壁１１０の先端が当接することで下方へ逃げるように弾性変形する。
【００４８】
次に、ＬＥＤユニット４０の防塵・位置決め部材１００の作用について説明する。
【００４９】
図４に示すように、防塵・位置決め部材１００を有するＬＥＤユニット４０を退避位置（図２参照）から露光位置へ移動すると、防塵壁１１０がドラムフレーム５２に設けられた貫通孔５２２に貫入して、突起部１１１が貫通孔５２２の奥側内壁に当接するとともに、位置決め部１２０が露光孔５２１の左右のドラムフレーム５２に当接する。
【００５０】
このとき、ＬＥＤヘッド４１とアーム部材４２との間に設けられたバネ４３が若干押し縮められるので、ＬＥＤヘッド４１には下方（図４（ａ）の矢印方向）への付勢力が付与され、位置決め部１２０がドラムフレーム５２に確実に当接する。また、防塵壁１１０の先端が付勢部材５２３のテーパ面５２２Ａの下端から奥側へ突出した部位に当接するので、突起部１１１には防塵壁１１０を介して貫通孔５２２の奥側内壁への付勢力が付与され、突起部１１１が貫通孔５２２の奥側内壁に確実に当接する。
【００５１】
位置決め部１２０がドラムフレーム５２に当接することで、防塵・位置決め部材１００が取り付けられたＬＥＤユニット４０の上下方向の位置を精度よく決めることができるとともに、位置決め部１２０と一体成形された防塵壁１１０の高さ方向（上下方向）の位置を感光ドラム５３に対して精度よく決めることができる。また、突起部１１１がドラムフレーム５２の貫通孔５２２の奥側内壁に当接することで、左右方向に長く形成された防塵壁１１０の位置を感光ドラム５３の回転軸５３Ａ（図３参照）に対して平行に決めることができる。
【００５２】
防塵壁１１０は、その先端が光射出面４０Ａよりも感光ドラム５３側に突出するとともに、感光ドラム５３に対して十分に近接して配置される寸法に形成されている。また、防塵壁１１０は、部材本体１０１の手前側、すなわち、感光ドラム５３上のＬＥＤユニット４０との対向位置Ｔ（図４（ｂ）参照）よりも、感光ドラム５３の回転方向Ｍの下流側（現像ユニット６１側。図１参照）に設けられている。これらによれば、現像ユニット６１側から浮遊するトナーが光射出面４０Ａに付着することを効果的に抑制することができる。
【００５３】
なお、一体成形された位置決め部１２０が防塵壁１１０の近傍でドラムフレーム５２に当接しているので、防塵壁１１０が感光ドラム５３に対して精度よく位置決めされる。このように防塵壁１１０が感光ドラム５３に対して精度よく位置決めされることで、防塵壁１１０の先端を感光ドラム５３に近接させても、防塵壁１１０の先端が感光ドラム５３に
接触してその表面を損傷することを防止できる。
【００５４】
以上のように構成されたカラーレーザプリンタ１によれば、防塵壁１１０と位置決め部１２０とが一体成形されることで、防塵壁１１０が位置決め部材を兼ねるので、防塵壁１１０を感光ドラム５３に対して精度よく位置決めすることができる。これによって、防塵壁１１０を感光ドラム５３に十分に近接させることができるので、トナーの光射出面４０Ａへの付着、すなわち、トナーによる光射出面４０Ａの汚れを十分に抑制することができ、画像品質の低下を抑制することができる。
【００５５】
以上、本発明の実施形態について説明したが、本発明は前記した実施形態に限定されるものではない。具体的な構成については、本発明の趣旨を逸脱しない範囲で適宜変更が可能である。
【００５６】
前記した実施形態では、フレームの一例として感光ドラム５３を支持するドラムフレーム５２を示したが、これに限定されるものではない。例えば、ドラムフレーム５２と現像フレーム６２とを一体に形成したフレーム、すなわち、感光ドラム５３と現像ローラ６３の両方を支持するフレームであってもよい。
【００５７】
前記した実施形態では、ＬＥＤヘッド４１と防塵・位置決め部材１００とを別体として成形し、ＬＥＤヘッド４１の光射出面４０Ａ側に防塵・位置決め部材１００を取り付ける構成を示したが、これに限定されるものではない。例えば、ＬＥＤヘッド４１と防塵・位置決め部材１００とを一体成形してもよい。これによれば、防塵壁１１０の感光ドラム５３に対する位置決め精度をさらに向上させることができる。
【００５８】
前記した実施形態では、防塵・位置決め部材１００に防塵壁１１０を３つ設けた構成を示したが、これに限定されず、例えば、防塵壁を２つ設けてもよいし、４つ以上設けてもよい。
【００５９】
また、防塵壁を感光ドラム５３の回転軸方向（左右方向）に連続する１つの壁体として形成してもよい。これによれば、防塵壁を複数設けた場合にできる防塵壁間の隙間がなくなるので、現像ユニット側から浮遊するトナーの光射出面への付着をより確実に抑制することができる。
【００６０】
前記した実施形態では、防塵壁１１０を感光ドラム５３上の静電潜像形成領域Ｒの範囲内に設けた構成を示したが、これに限定されず、例えば、防塵壁１１０を静電潜像形成領域Ｒを超えて設けてもよい。
【００６１】
前記した実施形態では、防塵壁１１０を光射出面４０Ａの手前側にのみ設けた構成を示したが、これに限定されず、例えば、防塵壁１１０を光射出面４０Ａの手前側および奥側（感光ドラム５３とＬＥＤユニット４０との対向位置Ｔよりも感光ドラム５３の回転方向Ｍの上流側）の両方に設けてもよい。これによれば、退避位置（図２参照）において光射出面４０Ａ（レンズ４３０）を効果的に保護することもできる。
【００６２】
前記した実施形態では、突起部１１１を左右２つの防塵壁１１０の奥側壁面の中央付近に１つずつ設けた構成を示したが、これに限定されず、例えば、３つの防塵壁１１０の奥側壁面の中央付近にそれぞれ１つずつ設けてもよいし、各防塵壁１１０に複数の突起部１１１を設けてもよい。なお、防塵壁１１０の位置を感光ドラム５３の回転軸に対して平行に決めるため、突起部１１１は感光ドラム５３の回転軸方向の中心位置Ｃを基準にして左右対称に設けることが望ましい。
【００６３】
前記した実施形態では、位置決め部１２０（位置決め部材）を先端が半球形の柱状に構成した例を示したが、これに限定されず、例えば、円柱状や多角柱状に構成してもよい。また、露光位置における部材本体１０１の下面に、光射出面４０Ａよりも突出して設けられる壁状や枠状に構成してもよい。また、防塵壁に下方から上方に向かって切欠部（凹部）を形成し、露光位置においてフレーム（各貫通孔５２２の間の部分）と当接する凹部の底面部分を位置決め部（位置決め部材）としてもよい。
【００６４】
前記した実施形態では、露光位置において位置決め部１２０の先端がドラムフレーム５２に単に当接する構成を示したが、これに限定されず、例えば、図５（ａ），（ｂ）に示すように、露光位置において、位置決め部１２０’の先端が、少なくとも底部に当接する穴部５２４をドラムフレーム５２に設けてもよい。これによれば、図５（ｃ）に示すように、ＬＥＤユニット４０の前後方向の位置を精度よく、かつ、確実に決めることができるので、ＬＥＤユニット４０が感光ドラム５３の回転軸５３Ａに対して斜めになること（図５（ｃ）の鎖線参照）による露光距離の変化に起因する画像品質の低下を防止することができる。なお、このような形態とした場合、防塵壁１１０の突起部１１１を省略することができる。
【００６５】
前記した実施形態では、発光素子として配列された複数のＬＥＤ４２０を有するＬＥＤユニット４０を露光部材の一例として示したが、これに限定されるものではない。例えば、発光素子は、多数配列され画像データに応じて選択的に発光できるものであればＬＥＤ（発光ダイオード）に限定されず、ＥＬ（エレクトロ・ルミネッセンス）素子や蛍光体などであってもよい。また、単数または複数の発光素子（光源）からの光を制御する光シャッタ（例えば、液晶素子、ＰＬＺＴ素子など）を多数配列し、光シャッタの開閉時間を画像データに応じて選択的に制御する露光部材を使用することもできる。
【００６６】
前記した実施形態では、貫通孔５２２の手前側内壁にテーパ面５２２Ａを設けた例を示したが、ＬＥＤユニット４０が露光位置と退避位置との間で変位する際に、防塵壁１１０の先端が描く軌跡を避けることができる形状であればこれに限定されず、例えば、貫通孔を手前側に幅広に形成してもよい。
【符号の説明】
【００６７】
１      カラーレーザプリンタ
４０    ＬＥＤユニット
４０Ａ  光射出面
５２    ドラムフレーム
５３    感光ドラム
１００  防塵・位置決め部材
１１０  防塵壁
１１１  突起部
１２０  位置決め部
４２０  ＬＥＤ
５２２  貫通孔
Ｃ      中心位置
Ｌ      射出方向
Ｍ      回転方向
Ｒ      静電潜像形成領域
Ｔ      対向位置
【図１】
0003163918.tif 000003
【図２】
0003163918.tif 000004
【図３】
0003163918.tif 000005
【図４】
0003163918.tif 000006
【図５】
0003163918.tif 000007